(57)【要約】【課題】店舗情報、観光情報、行政からのお知らせ、行事情報、天気予報、地域掲示板、回覧板、交通情報、災害情報、英語・パソコン等の教室などの情報を広範囲の分野に適用できるよう方法で提供すること、および専門的な知識がなくてもレイアウト等を指定できるようにする。【解決手段】ひとつまたは２以上のＷｅｂサーバ上で、それぞれ独立して定義され、他の表示部品２３，２６からの複数の命令を実行するプログラムを有し、いくつかの共通の命令を実行するとともに、外部からアクションを受け取ると、他の表示部品に対して該アクションに対応する命命を発行する複数の表示部品２１，２３，２６を具備し、該表示部品が選択されることで、２以上のＷｅｂサーバからの情報提供用領域２２を同一の画面に表示させ、かつ同一画面に表示された上記情報提供用領域２２を互いに連動して表示させる。レイアウトエディタ２５は、新規登録する画像内容とレイアウトを自由に指定できる。サーバへの登録はＸＭＬ形式で行われる。【選択図】図２
2005078294.tif 000002
【特許請求の範囲】
【請求項１】
ネットワークを介して１つまたは２以上のＷｅｂサーバに接続されたクライアント端末のＷｅｂ画像およびテキスト情報の提供システムにおいて、
２以上のＷｅｂサーバ上で、それぞれ独立して定義され、他の表示部品からの複数の命令を実行するプログラムを有し、いくつかの共通の命令を実行するとともに、外部からアクションを受け取ると、他の表示部品に対して該アクションに対応する命命を発行する複数の表示部品を具備し、該表示部品が選択されることで、２以上のＷｅｂサーバからの情報提供用領域を同一の画面に表示させ、かつ同一画面に表示された上記情報提供用領域を互いに連動して表示させることを特徴とするＷｅｂ画像およびテキスト情報の提供システム。
【請求項２】
ネットワークを介してＷｅｂサーバに接続されたクライアント端末から該Ｗｅｂサーバへのブラウザ上操作によるＷｅｂ画像およびテキスト情報の登録方法において、
マウス等のポインティングデバイスにより容易にレイアウトを指定でき、キーボード操作によってＷｅｂ画像およびテキスト情報を入力あるいは指定する操作を、ブラウザ上で実行することを特徴とするＷｅｂ画像およびテキスト情報の登録方法。
【請求項３】
ネットワークを介して１つまたは２以上のＷｅｂサーバに接続されたクライアント端末のＷｅｂ画像およびテキスト情報の提供方法において、
該クライアント端末の画面上で、２以上のＷｅｂサーバからの情報提供用領域に対して、共通および個々の表示部品に特化したメソッドと、プロパティを持つ独立したユーザ・インタフェース表示部品が配置され、各表示部品間を連動させる編集機能を、ブラウザ上で実行させることで任意の画面が指定されると、指定された内容を特定の文章形式に変換してＷｅｂサーバに登録し、登録されたレイアウトおよび内容で表示することにより、画像情報の提供を行うことを特徴とするＷｅｂ画像およびテキスト情報の提供方法。
【発明の詳細な説明】
【技術分野】
【０００１】
本発明は、１以上のＷｅｂサーバから提供された情報提供領域を、同一画面上に表示させ、利用者によりレイアウトや画像などを自在に指定してＷｅｂサーバに登録し、それを表示するＷｅｂ画像およびテキスト情報の提供システムおよび提供方法に関する。
【背景技術】
【０００２】
従来、Ｗｅｂブラウザによる広告表示方法としては、例えば、特開２００１−１１８００６号公報（特許文献１参照）に記載された『使用者の休止状態を感知したＷｅｂブラウザの広告表示方法』がある。これは、ブラウザの全面または一部に公告内容を表示し、マウスの動きがない休止状態の時間が設定時間以上持続すると、ブラウザの窓全面または一部への公告内容および背景画面の表示を中断し、イベントに該当するホームページをブラウザの窓に表示する方法である。
また、インターネットを利用した広告方法としては、例えば、特開２００２−３１２６６８号公報（特許文献２参照）に記載の『インターネットを利用した広告方法』がある。
これは、利用者が検索するためのキーワードを登録し、登録されたキーワードに該当する文字列を検索して、前記文字列に広告を付加して表示する方法である。
【０００３】
また、Ｗｅｂ上で簡単、手軽かつ安価に広告の配布を行うものとしては、例えば、特開２００３−１７３４４８号公報（特許文献３参照）に記載の『情報処理方法、情報処理装置、および情報処理システム』がある。これは、複写または印刷の対象となる原稿画像情報に対して、予め登録した特定画像情報を合成し、同一画面上の当該情報に対して設定された領域に出力する。これに先立ち、利用者は店頭やＷｅｂ上において当該情報の登録を行う。複写サービス等の利用者は、配布情報とともに原稿画像が出力されることを許容した場合、サービス利用費用の減額を受ける。
【０００４】
【特許文献１】特開２００１−１１８００６号公報
【特許文献２】特開２００２−３１２６６８号公報
【特許文献３】特開２００３−１７３４４８号公報
【発明の開示】
【発明が解決しようとする課題】
【０００５】
今後は、自治体のＷｅｂシステムとして、地域の情報、利用者にとって興味のある情報、行政にとり住民に伝えたい情報などを含む店舗情報、行事情報、行政情報あるいはリスク情報などを画像表示することが望まれている。また、単に画像を表示するだけでなく、その位置や日時の情報と連携して表示することが望ましい。また、情報表示エリアに複数の情報を載せられるようにしたり、必要な情報にアクセスし易くする等の仕組みを作成することが望ましい。また、ＨＴＭＬなどのような技術を知らなくてもあるいは編集専用のアプリケーションを端末にインストールしなくても、行政や地域の情報提供者がそれらの情報を登録あるいは公開できることが望ましい。
上記文献１〜３を含む従来の技術では、上記の希望事項は殆んど実現されていない。
【０００６】
（目的）
そこで、本発明の目的は、上記の希望事項に対応することができ、店舗情報、観光情報、行政からのお知らせ、行事情報、天気予報、地域掲示板、回覧板、交通情報、災害情報、英語・パソコン等の教室などの広範囲の分野に適用できるＷｅｂ画像情報の提供システムおよび提供方法 およびそのような情報を容易に登録し公開できる方法を提供することにある。
【課題を解決するための手段】
【０００７】
本発明のＷｅｂ画像情報の提供システムは、２以上のＷｅｂサーバ上に、それぞれ独立して定義され、他の表示部品からの複数の命令を実行するプログラムを有し、いくつかの共通の命令を実行するとともに、外部からアクションを受け取ると、他の表示部品に対して該アクションに対応する命令を発行する複数の表示部品を具備し、該表示部品が選択されることで、２以上のＷｅｂ情報提供用領域を同一の画面に表示させ、かつ同一画面に表示された上記情報提供用領域を互いに連動して表示させることを特徴としている。
【０００８】
また、各クライアント端末において、上記情報提供用領域に対して、共通および個々の表示部品に特化したメソッドと、プロパティを持つ独立したユーザ・インタフェース表示部品が配置され、各表示部品間を連動させる編集機能を、ブラウザ上で実行させることで任意の画面が指定されると、指定された内容をＸＭＬ形式に変換してＷｅｂサーバに登録し、登録されたレイアウトおよび内容で表示することで、画像情報の提供を行うことを特徴としている。
【発明の効果】
【０００９】
本発明によれば、特定のソフトウェアをクライアント端末にインストールする必要がなく、利用者または管理者がＨＴＭＬ等の技術知識がなくても、レイアウトやテキスト・画像を任意に指定することができる。このようにして、任意に指定された画像をＷｅｂサーバに登録することにより、店舗情報、オンラインショッピング、観光情報、行政からのお知らせ、議会情報、行事情報、手続きと申請、天気予報、占いまたはゲーム、地域掲示板、回覧板、テレビ番組案内、交通情報、災害情報、各種教室、プライベート情報管理などの広い分野に適用できる。
【発明を実施するための最良の形態】
【００１０】
以下、本発明の実施形態を、図面により詳細に説明する。
図１は、本発明の一実施形態に係るＷｅｂ画像情報の提供システムの構成図である。
１１はクライアント端末、１２はネットワーク、１３は本実施形態を実施するためのメインＷｅｂサーバ、１４，１５は他サイトＷｅｂサーバ、１６，１７，１８は各Ｗｅｂサーバ１３，１４，１５に接続されているデータベースである。メインＷｅｂサーバ１３には、画像情報を提供する基本になるベース画面１３１、ｎ個の共通部品１３２、ｎ個の静的情報提供部品１３３、ｎ個の動的情報提供部品１３４が備えられる。他サイトＷｅｂサーバ１４，１５には、ｎ個の静的情報提供部品１４１，１５１とｎ個の動的情報提供部品１４２，１５２が備えられる。各データベース１６，１７，１８には、静的情報提供部品や動的情報提供部品にて表示するデータが格納されている。
なお、ベース画面とは、画面を遷移させる際に、サーバから選択した部品をフェッチしてくる前の基礎的画面のことである。
【００１１】
ここで、静的情報提供部品とは、個々の情報を表示するための部品であり、表示内容は固定である。また、動的情報提供部品とは、個々の情報を表示するための部品であり、表示内容は日時や位置などを指定することにより動的に変更される。
これら複数のＷｅｂサーバ１３，１４，１５上で、互いに独立して定義され、独立して動作可能な情報提供用領域が、クライアント端末１１の同一の画面に表示され、かつそれらの領域が互いに連動する仕組みとなっている。
同一画面上に表示される情報提供用領域には、共通部品群として、各情報やカテゴリを利用者が指定するための部品であり、索引やカテゴリのツリー表示、類似カテゴリの表示などの機能を提供するインデックス部品、位置情報を視覚的に表わすための地図情報部品、カレンダーなどにより日付情報や時間情報を視覚的に表わすための日時情報部品、文字サイズや色など、表示されている各部品に共通する設定を行うための共通設定用部品がある。
なお、情報はいくつかのカテゴリに分類され、カテゴリは階層状の構造を備えている。
【００１２】
図２は、本発明の実施形態に係るクライアント端末の画面イメージ図である。
画像情報提供画面（初期表示状態）が示されており、Ｗｅｂサーバ上に独立に置かれている共通部品群（ナビゲーション／インデックス２４、地図情報２３、カレンダー情報２６）が同一画面上に表示されている。インデックス２４で指定されたカテゴリに対して、それに属する情報を示す記号が、地図情報部品（地図情報２３）、日時情報部品（カレンダー情報２６）で表示される。地図情報部品、日時情報部品上で示された記号を選択することにより、その情報を表示するための静的情報提供部品や動的情報提供部品が表示され、その部品上でその情報が表示される。利用者が動的情報提供部品上で特定の位置や日時を指定するようなアクションを起こすと、地図情報部品や日時情報部品がそれに対応する位置や日時を表示する。レイアウトエディタ２５は、利用者が任意の形や画像を指定することができる領域である。また、情報表示、その他サービス提供エリア２２も配置されている。
【００１３】
図３は、本発明における情報閲覧の画像イメージ図である。
上段では、インデックス部品２４が示され、インデックス上でクリックすることにより天気予報サービスをダウンロードまたは表示することができる。中段では、静的情報提供部品により、共通部品群で選択された項目が表示されており、静的情報提供部品から地図情報部品、日時情報部品に対して、必要に応じて対応する位置や日時が分かるように関連線（矢印）が表示される。下段では、さらに、地図情報サービス、日時情報サービスで場所や日時を選択すると、天気予報サービスの内容がそれに合わせて変化する。
【００１４】
図４は、本発明における情報登録の画像イメージ図である。
静的情報編集部品２５が表示されており、ここから利用者または管理者が静的情報の内容およびレイアウトを新規に登録することができる。上段では、適切なカテゴリを選択して、レイアウトを自由に指定し、情報を登録する準備を行う。インデックス部品２４上で情報追加アクションを起こすことにより、情報入力／レイアウト指定のコンポーネントまたは画面が表示される。中段では、タイトル・登録者・公開期間などの基本情報、およびレイアウトをＨＴＭＬ等の知識を使わずにＷｅｂ上で入力する。地図情報、日時情報コンポーネント等を用いて場所や日時についても指定する。下段では、新たにインデックス部品２４上に『中華ＸＸ』の情報が登録される。即座に公開される、管理者承認の後に公開される、などの方式が考えられる。
【００１５】
図５は、本発明における情報提供用部品のレイアウト指定の説明図である。
情報提供用部品（レイアウト領域）上では、(1)最初にグリッドが表示されており、任意のセルをドラッグすることにより、任意の領域を指定できる(２５Ａ)。
(2)右クリック、もしくは領域の隅にあるボタンをクリックすることにより、テキスト用領域か画像用領域かを指定することができる（２５Ｂ）。(3)テキスト用領域の場合、書体やサイズ、表示効果、色、下線有無等を指定する（２５Ｃ）。(4)画像用領域の場合、ＵＲＬ入力、またはアップロード済み画像を直接選ぶことにより、表示する画像を指定できる（２５Ｄ）。
静的情報編集部品により作成された新規の情報がサーバに登録され、表示される。
【００１６】
図６は、本発明におけるＷｅｂサーバへの登録形式およびテキストの表示効果の説明図である。
情報提供用部品上で任意の領域を指定して形成された情報のレイアウトや内容は、Ｗｅｂサーバに対してＸＭＬで登録または出力される。例えば、３１で示した内容形式で出力される。なお、ｄａｔａは、ルートノードを示し、ｉｔｅｍは、個々の要素、属性として、位置や要素のタイプが記述される。
テキストの表示効果を指定することもある。例えば、図６下段に示すように、スクリプトを組むことで、文字ごとに動くなど、さらに複雑な効果を実装することもできる。
フェードイン３２では、薄い文字から濃い文字へ変化し、フェードアウト３３では、濃い文字から薄い文字に変化し、マーキー３４では、文字の位置が左端から右端に移動する。サイズ変更３５では、小さな文字から大きな文字へ変化する。
【００１７】
図７は、本発明におけるデータフローのイメージ図である。
メインＷｅｂサーバ１３からは、独立したサービスを同一の画面に配信する。すなわち、クライアント端末１１の画面左端に共通部品（インデックス部品）を表示し、インデックスでサービス内容を選択する。画面右端に共通部品（位置情報部品、日時情報部品）を表示し、標準提供部品で指定した位置、日時に関する情報をサービス側で表示する。また、画面中央に自サイトから提供するサービス（静的情報提供部品、動的情報提供部品）を表示し、他サイトからも直接サービス提供（静的情報提供部品、動的情報提供部品）が行われる。情報登録用部品２５により、簡単にデザイン指定が可能であり、編集したレイアウトおよび内容はＷｅｂサーバに登録される。
【００１８】
図８は、本発明における各部品を実装しているファイルのダウンロードのイメージ図である。
自サイト１３からクライアント端末１１に対して、共通部品、静的情報提供部品および動的情報提供部品が提供され、他サイト１４から同じクライアント端末１１に対して、静的情報提供部品および動的情報提供部品が提供される。
なお、提供された部品の連動は以下のようにして実現される。
各部品は独立して定義され、他の部品からのいくつかの命令を実行するプログラムを備えている。各部品は、いくつかの共通の命令を実行できるようにしておく。この共通の命令としては、『指定された地図上の位置に関する情報を表示する』、『指定された日時に関する情報を表示する』、『指定された文字サイズで情報を表示する』などの例がある。
各部品は、利用者から他の部品に対して命令を発行する必要があるようなアクションを受け取ると、他の全部品に対してその命令を発行する。
各部品表示時に、各部品間で関連するものがある場合には、それら部品間に関連線を表示する。ただし、利用者によって関連線を表示しないように設定されている場合には表示しない。各部品、利用者により表示内容が変更されたとき、および表示位置が変更されたときに、関連線を再描画する。
【００１９】
図９〜図１２は、クライアント端末画面の遷移図である。
ログイン画面１が必須でない場合には、初期画面２が表示され、インデックスから静的情報項目を選択したとき、ベース画面中央に静的情報提供部品が表示される。また、初期画面で、インデックスからカテゴリを選択したとき、ベース画３に地図情報と日時情報が表示され、地図情報と日時情報から一つの項目を選択すると、ベース画面４に戻る。
初期画面２で、インデックスから動的情報項目を選択すると、図１０に移り、ベース画面７に動的情報提供部品が表示され、地図情報、日時情報との間に関連線が引かれる。
さらに、ベース画面７の動的情報提供部品上で位置や日時を特定するアクションを実行すると、地図情報と日時情報の表示が変化し、関連線も変更される。また、地図情報部品、日時情報部品により位置、日時を選択すると、ベース画面９の動的情報提供部品の表示が変更となる。なお、ベース画面７に対して、他サイトのＷｅｂサーバから静的情報提供部品が提供されると、ベース画面１０となり、さらに利用者の操作により共通部品を選択して、この上から共通設定用部品を前面に表示すると、ベース画面１１となる。さらに、各々の部品に共通設定を適用すれば、動的情報提供部品、静的情報提供部品とインデックス部品と地図情報、日時情報が画面の中央に表示されたベース画面１２となる。
【００２０】
また、図９のベース画面３において、選択したカテゴリへの情報追加アクションを実行すると、図１２のベース画面５上に静的情報提供部品が表示されたものとなる。ベース画面５において、編集結果の登録アクションを実行すると、ベース画面に静的情報提供部品を表示した画面６となる。
【００２１】
図１３〜図１８は、本発明における処理フローチャートである。
図１３は、インデックス部品の特定項目を選択して画面へサービス表示用部品を表示する場合の例である。利用者がテンデックス部品により特定の項目を選択すると（２０１）、選択された項目を表示する部品が画面上にあるか否かを判断し（２０２）、画面上にあれば、表示すぼき情報がＸＭＬ形式でダウンロードされ（２０４）、サービス表示用部品が同一画面上に表示され（２０５）、情報を出力する（２０６）。また、なければ、選択された項目に関連する動的情報提供部品、静的情報提供部品がダウンロードされ（２０３）、さらに表示すべき情報がＸＭＬ形式でダウンロードされた後（２０４）、サービス表示用部品が同一画面に表示される（２０５）。
【００２２】
図１４は、インデックス部品のカテゴリを選択して画面へサービス表示用部品を表示する場合の例である。利用者がインデックス部品により特定のカテゴリを選択すると（２１１）、カテゴリに含まれる各項目を示す記号が地図情報部品、日時情報部品に表示される（２１２）。利用が記号を選択すると（２１３）、選択された図目を表示する部品が画面上にあるか否かを判断し（２１４）、あれば、表示すべき情報がＸＭＬ形式でダウンロードされ（２１６）、サービス表示用部品が同一画面に表示され、情報を出力する（２１７）。一方、なければ、選択された項目に関連する動的情報提供部品、静的情報提供部品がダウンロードされ（２１５）、さらに表示すべき情報がＸＭＬ形式でダウンロードされて（２１６）、サービス表示用部品が同一画面に表示され、情報が出力される（２１７）。
【００２３】
図１５は、利用者が指定したとき、指定された位置、日時に関連する情報を持っている場合の例である。利用者が地図部品、カレンダー部品などで位置や日時を指定すると（２２１）、位置情報指定インターフェイス、日時、時間指定インターフェイスを呼び出す（２２２）。この場合、指定された位置、日時に関連する情報を持っているか否かを判断し（２２３）、持っていれば、サービス表示用部品が指定された位置、日時、時間に関する情報表示に切り替わる（２２４）。一方、持っていなければ、処理を終了する（２２５）。
【００２４】
図１６は、利用者が動的情報提供部品内で位置や日時に関するボタンをクリックして、動的情報提供部品を指定された位置、日時の表示に切り替える場合の例である。
利用者が動的情報提供部品内で、位置や日時に関するボタンをクリックすると（２３１）、画面上の全ての動的情報提供部品に対して、位置情報指定、日時・時間指定を行う（２３２）。次に、指定された位置、日時に関連する情報を持っているか否かを判断し（２３３）、持っていれば、動的情報提供部品が、指定された位置、日時、時間に関する情報表示に切り替わる（２３４）。一方、持っていなければ、処理を終了する（２３５）。
【００２５】
図１７は、利用者が共通設定用部品により共通設定を行う場合の例である。利用者が共通設定用部品により共通設定を行うと（２４１）、共通設定用部品により指定された表示に切り替わる（２４２）。
図１８は、利用者がインデックス部品により登録すべき情報が属するカテゴリを選択して、指定された内容で新規の内容を表示する場合である。
利用者がインデックス部品により登録すべき情報が属するカテゴリを選択すると（２５１）、登録情報編集部品が表示され（２５２）、利用者が登録情報編集部品を用いて登録したい情報の内容とレイアウトを指定する（２５３）。クライアント上において情報内容と、レイアウトとを別個にＸＭＬ形式に変換する（２５４）。変換されたＸＭＬがサーバに登録される（２５５）。これにより、利用者が指定した内容で新規の情報が表示される（２５６）。
【図面の簡単な説明】
【００２６】
【図１】本発明の実施形態に係るＷｅｂ画像情報の提供システムの構成図である。
【図２】本発明の実施形態に係るクライアント端末の初期画面上の表示イメージ図である。
【図３】インデックス上で選択することで、情報閲覧する場合の説明図である。
【図４】情報追加アクションにより新規の情報登録を行う場合の説明図である。
【図５】登録情報編集部品を用いてレイアウトと内容を指定する場合の説明図である。
【図６】情報登録の形式の説明と、テキスト表示効果の例を示す説明図である。
【図７】本発明のサービス提供概念図である。
【図８】各部品を実装しているファイルのダウンロードのイメージ図である。
【図９】インデックスから静的情報提供部品または動的情報提供部品を選択する場合の遷移図である。
【図１０】静的情報提供部品または動的情報提供部品上で位置や日時を特定する場合の遷移図である。
【図１１】共通設定用部品を表示する場合の遷移図である。
【図１２】編集結果の登録アクションの実行遷移図である。
【図１３】インデックス部品により特定の項目を選択する場合のフローチャートである。
【図１４】インデックス部品により特定のカテゴリを選択する場合のフローチャートである。
【図１５】地図部品、カレンダー部品で位置、日時を指定する場合のフローチャートである。
【図１６】動的情報提供部品内で位置や日時を指定した場合のフローチャートである。
【図１７】共通設定用部品により共通設定を行う場合のフローチャートである。
【図１８】インデックス部品により登録すべき情報が属するカテゴリを選択する場合のフローチャートである。
【符号の説明】
【００２７】
１１…クライアント端末、１２…ネットワーク、１３…メインＷｅｂサーバ、
１４，１５…他サイトＷｅｂサーバ、１６，１７，１８…データベース、
１３１…ベース画面、１３２…共通部品、１３３，１４１，１５１…静的情報提供部品、
１３４，１４２，１５２…動的情報提供部品、
１６１，１７１，１８１…静的情報提供部品、動的情報提供部品にて表示するデータ、
２１…環境設定等のメニュー、２２…情報表示、その他サービス提供エリア、
２３…地図情報、２４…ナビゲーション／インデックス、２５…レイアウトエディタ、
２６…カレンダー情報、３１…ＸＭＬ形式文章。
【図１】
2005078294.tif 000003
【図２】
2005078294.tif 000004
【図３】
2005078294.tif 000005
【図４】
2005078294.tif 000006
【図５】
2005078294.tif 000007
【図６】
2005078294.tif 000008
【図７】
2005078294.tif 000009
【図８】
2005078294.tif 000010
【図９】
2005078294.tif 000011
【図１０】
2005078294.tif 000012
【図１１】
2005078294.tif 000013
【図１２】
2005078294.tif 000014
【図１３】
2005078294.tif 000015
【図１４】
2005078294.tif 000016
【図１５】
2005078294.tif 000017
【図１６】
2005078294.tif 000018
【図１７】
2005078294.tif 000019
【図１８】
2005078294.tif 000020